(57)【特許請求の範囲】
【請求項１】
中間部に貫通穴が形成された一対の板状のコネクタ部と、該一対のコネクタ部の貫通穴間に架け渡され、頭部が一方のコネクタ部の外側面側に突出し、軸部の先端側が他方のコネクタ部の外側面側に突出するボルトと、該ボルトの軸部の先端側に締結され、締め付けられ、又は緩められることによって、一対のコネクタ部の一端部側の間隔を狭め、又は拡げるナットと、該ナットと他方のコネクタ部との間でボルトの軸部を外嵌する座金部材と、一対のコネクタ部の他端部側に取り付けられて一対のコネクタ部の一端部側を離間させるように付勢するバネ部材とが備えられている連結具を保持する間接活線作業用工具であって、
前記連結具のボルトの頭部又は座金部材を嵌める受部を一端部側に形成し、かつ、貫通穴を中間部に形成した側板部と、前記連結具の座金部材又はボルトの頭部を嵌める受部を一端部側に形成し、かつ、貫通穴を中間部に形成した側板部と、前記両側板部の受部同士及び貫通穴同士がそれぞれ対峙するように向き合わされた両側板部の他端部側に架け渡され、該他端部側の間隔を一定に維持する架橋部と、前記両側板部の貫通穴間に架け渡され、軸部の先端部がいずれか一方の側板部から突出するボルトと、該ボルトの軸部の先端部側に締結され、締め付けられ、又は緩められることによって、両側板部の一端部側の間隔を狭め、又は拡げるナットとが備えられていることを特徴とする間接活線作業用工具。
【請求項２】
前記いずれか一方の側板部の両側部から他方の側板部に向けて突出部が突設されていることを特徴とする請求項１に記載の間接活線作業用工具。
【請求項３】
前記両側板部の他端部側に貫通穴が形成され、前記架橋部は、該両側板部の他端部側に形成された貫通穴に架け渡されるボルト及び該ボルトに締結される複数のナットによって構成され、ボルトの頭部と一つのナットがいずれか一方の側板部を挟み、二つのナットが他方の側板部を挟むことによって両側板部を他端部側で固定するものであることを特徴とする請求項１又は２に記載の間接活線作業用工具。
【請求項４】
前記両側板部の中間部に形成された貫通穴に架け渡されているボルトは、頭部がいずれか一方の側板部に溶接されていることを特徴とする請求項１から３のいずれか一項に記載の間接活線作業用工具。
【請求項５】
前記各側板部に形成された受部は、各側板部の一端部側が開口したＵ字形に形成されていることを特徴とする請求項１ないし４のいずれか一項に間接活線作業用工具。
【発明の詳細な説明】
【技術分野】
【０００１】
本発明は、架設された幹線と、この幹線から電路を分岐する分岐線とを接続する連結具を保持するための間接活線作業用工具に関し、詳しくは、幹線を一端部側で挟む一対のコネクタ部、コネクタ部の一端部側の間隔を拡げるように付勢するバネ部材、コネクタ部の一端部側の間隔を狭めるボルト及びナットなどを備えた連結具を保持するための間接活線作業用工具に関する。
【背景技術】
【０００２】
従来から、鉄塔や電柱に架設された高圧配電線などの幹線に引下線などの分岐線を接続することによって電気的に電路を分岐し、分岐線から高圧カットアウトや変圧器などを介して一般家庭などの需要家へ電力の供給が行われている。この幹線と分岐線とは、例えば図５に示すような専用の連結具１００によって接続されている。
【０００３】
この連結具１００は、一般的に普及しているタイプで、対峙する変形板状の第１，第２のコネクタ部１１０，１２０と、線材をＣ字形に成形した止め輪であるバネ部材１３０と、ボルト１４１及びナット１４２とを備えている。
【０００４】
第１，第２のコネクタ部１１０，１２０は、一端部（図示した使用状態においては上端部）１１０ａ，１２０ａ側で幹線１を把持する。バネ部材１３０は、第１，第２のコネクタ部１１０，１２０の他端部（図示した使用状態においては下端部）側に取り付けられて、第１，第２のコネクタ部１１０，１２０の一端部１１０ａ，１２０ａ側の間隔を拡げるように付勢する。ボルト１４１は、第１，第２コネクタ１１０，１２０の中間部を貫通し、ナット１４２が締め付けられることによって、第１，第２のコネクタ部１１０，１２０の一端部１１０ａ，１２０ａの間隔が狭められるようにされている。
【０００５】
さらに詳しく説明すると、コネクタ部１１０，１２０の幅は、図５（ｂ）に示すように、他端部１１０ｂ，１２０ｂが一端部１１０ａ，１２０ａ及び中間部１１０ｃ，１２０ｃよりも狭く、概略逆凸字形に形成されている。したがって、第１，第２のコネクタ部１１０，１２０は、中間部１１０ｃ，１２０ｃと他端部１１０ｂ，１２０ｂとの境界に段差部１１０ｄ，１２０ｄが設けられている。
【０００６】
また、第１，第２のコネクタ部１１０，１２０の一端部１１０ａ，１２０ａ側の各内面には、幹線１の側面に沿うような凹曲面状の把持部１１０ｅ，１２０ｅが形成され、この把持部１１０ｅ，１２０ｅの間で幹線１を把持する。
【０００７】
また、第２のコネクタ部１２０の他端部１２０ｂ側の内面には、突出部１２０ｆが設けられ、この突出部１２０ｆが第１のコネクタ部１１０の他端部１１０ｂ側の内面に当接することにより、第１，第２のコネクタ部１１０，１２０の一端部１１０ａ，１２０ａ側の間隔が狭まったり拡がったりするようにされている。また、第１，第２のコネクタ部１１０，１２０の中間部１１０ｃ，１２０ｃには、前記ボルト１４１の軸部１４１ｂが貫通する貫通穴１１０ｇ，１２０ｇが形成されている。
【０００８】
ボルト１４１は、軸部１４１ｂの基端部と先端部が第１，第２のコネクタ部１１０，１２０の各外側面から突出する長さに形成されている。また、軸部１４１ｂの基端部は、四角柱状に形成され、分岐線２を挿通するための貫通孔（採番せず）がコネクタ部１１０，１２０の幅方向に形成されている。この貫通孔が第１，第２のコネクタ部１１０，１２０の幅方向を向いた状態を維持し、また、ナット１４２を締めたり緩めたりするときに、ボルト１４１が共回りしないようにするため、第１のコネクタ部１１０に形成された貫通穴１１０ｇは、四角形状とされている。
【０００９】
そして、ボルト１４１の頭部１４１ａと第１のコネクタ部１１０との間には、角座金１５１が挟まれている。したがって、角座金１４１には、ボルト１４１の軸部１４１ｂが貫通する貫通穴（採番せず）が形成されている。この角座金１４１と第１のコネクタ部１１０の外側面とがボルト１４１の貫通孔に挿通された分岐線２を挟むようにされている。なお、第１のコネクタ部１１０の外側面には、分岐線２を嵌める溝１１０ｆが形成されている。
【００１０】
また、ボルト１４１の軸部１４１ｂに締め付けられたナット１４２と第２のコネクタ部１２０との間には、座金部材１５０が挟まれている。座金部材１５０は、ナット１４２側のバネ座金１５１と第２のコネクタ部１２０側の平座金１５２とを組み合わされたものとされている。
【００１１】
また、Ｃ字形のバネ部材１３０は、各端部が第１，第２のコネクタ部１１０，１２０の他端部１１０ｂ，１２０ｂを外側面から挟み、第１，第２のコネクタ部１１０，１２０の一端部１１０ａ，１２０ａ側の間隔が拡がるよう付勢している。バネ部材１３０の各端部に挟まれる部位の第１，第２のコネクタ部１１０，１２０の外側面には、窪み部（図示せず）が形成され、バネ部材１３０の端部が外れにくいようにされている
【００１２】
このような連結具１００によって幹線１と分岐線２とを接続したり、分離したりするには、図６に示すような間接活線作業用工具である連結具支持具２００が使用されている。連結具支持具２００は、先端側に前記連結具１００のバネ部材１３０を嵌め込むスリット２１１を形成した筒体２１０と、この筒体２１０の基端側に設けられて絶縁操作棒３（図７参照）の先端部に取り付けられる菊座部２２０とを備えている。
【００１３】
ここで、連結具支持具２００を使用して、幹線１と分岐線２とを連結具１００によって接続する方法について説明する。予め、分岐線２の先端部を連結具１００のボルト１４１の軸部１４１ｂに形成された貫通孔に挿通し、分岐線２の先端部が第１のコネクタ部１１０と角座金１５１とに挟まれるようにする。第１，第２のコネクタ部１１０，１２０はバネ部材１３０によって、一端部１１０ａ，１２０ａ側が離間するように付勢され、分岐線２は、バネ力をもって第１のコネクタ部１１０と角座金１５１とに挟まれる状態となるため、ボルト１４１の軸部１４１ｂに形成された貫通孔内から抜けることがない。
【００１４】
一方、幹線１は、図７に示すように、分岐線２を接続する部分の皮を剥ぎ、芯線１ａを露出させた状態とされている。そして、作業者が分岐線２の先端部付近を幹線１に１周巻き付け、ストレーリンクトング（図示せず）によって分岐線２の先端部を幹線１に沿わせ、分岐線２の先端部に取り付けられた連結具１００を幹線１の皮が剥がされた部分に近づける。この連結具１００は、第１，第２のコネクタ部１１０，１２０の把持部１１０ｅ，１２０ｅが幹線１と平行ないしほぼ並行に近接し、バネ部材１３０が下向きの姿勢となっている。
【００１５】
一方、連結具支持具２００の菊座部２２０には、絶縁操作棒３の先端部が取り付けられている。この絶縁操作棒３を持ち上げることによって連結具支持具２００を連結具１００に近接させ、連結具支持具２００のスリット２１１内に連結具１００のバネ部材１３０を嵌め込み、第１，第２のコネクタ部１１０，１２０の他端部１１０ｂ,１２０ｂを連結具支持具２００の筒体２１０内に挿入し、そして段差部１１０ｄ，１２０ｄを筒体２１０のエッジに載せた状態とする。そして、第１，第２のコネクタ部１１０，１２０の間隔は、幹線１の露出した芯線１ａの外径よりも拡げられている。なお、菊座部２２０が回転されることによって固定され、作業後に菊座部２２０を反対方向に回転させてバネ部材１３０を離すことができるようにされている。
【００１６】
そして、絶縁操作棒３をわずかに上昇させることによって、連結具１００の第１，第２のコネクタ部１１０，１２０の把持部１１０ｅ，１２０ｅの間に幹線１の露出した芯線１ａが位置するようにする。そして、図示しない絶縁絶縁棒の先端に取り付けられたラチェットを使用して、連結具１００のナット１４２を締め付けることによって、第１，第２のコネクタ部１１０，１２０の一端部側の間隔を狭くし、把持部１１０ｅ，１２０ｅが幹線１の芯線１ａを挟む状態に固定する。すると、幹線１と分岐線２とが接続される。
【００１７】
最後に、絶縁操作棒３を下降すると、連結具１００のバネ部材１３０が連結具支持具２００のスリット２１１から脱抜され、第１，第２のコネクタ部１１０，１２０の他端部１１０ｂ，１２０ｂが連結具支持具２００の筒体２１０内から抜き出され、一連の作業が終了する。
【００１８】
なお、幹線を仮把持するとともに、その状態のまま分岐線と幹線とを本締めすることができるようにした間接活線作業用引下線コネクタが特許文献１に記載されている。
【先行技術文献】
【特許文献】
【００１９】
【特許文献１】特開２００２−５６９４２号公報
【発明の概要】
【発明が解決しようとする課題】
【００２０】
幹線１と分岐線２とを接続する際に、連結具１００のナット１４２が締め付けられるため、過大な負荷が連結具１００のバネ部材１３０と連結具支持具２００の筒体２１０とに加えられ、バネ部材１３０がコネクタ部１１０，１２０から外れることがある。そうすると、バネ部材１３０をコネクタ部１１０，１２０に取り付け直さなければならないが、その作業は大変面倒なものとなる。
【００２１】
また、幹線１と分岐線２とを接続するため、特許文献１に記載されたような間接活線作業用引下線コネクタを使用することも可能であるが、一般的に普及している連結具１００を使用したいという要請があるだけでなく、一般的に普及している連結具１００によって接続されている幹線１と分岐線２とを分離する作業において、バネ部材１３０がコネクタ部１１０，１２０から外れることもある。
【００２２】
そこで、本発明は、一般的に普及している連結具によって幹線と分岐線とを接続し、また分離する作業を支障なく行えるようにした間接活線作業用工具を提供することを課題とする。
【課題を解決するための手段】
【００２３】
本発明に係る間接活線作業用工具は、中間部に貫通穴が形成された一対の板状のコネクタ部と、該一対のコネクタ部の貫通穴間に架け渡され、頭部が一方のコネクタ部の外側面側に突出し、軸部の先端側が他方のコネクタ部の外側面側に突出するボルトと、該ボルトの軸部の先端側に締結され、締め付けられ、又は緩められることによって、一対のコネクタ部の一端部側の間隔を狭め、又は拡げるナットと、該ナットと他方のコネクタ部との間でボルトの軸部を外嵌する座金部材と、一対のコネクタ部の他端部側に取り付けられて一対のコネクタ部の一端部側を離間させるように付勢するバネ部材とが備えられている連結具を保持する間接活線作業用工具であって、前記連結具のボルトの頭部又は座金部材を嵌める受部を一端部側に形成し、かつ、貫通穴を中間部に形成した側板部と、前記連結具の座金部材又はボルトの頭部を嵌める受部を一端部側に形成し、かつ、貫通穴を中間部に形成した側板部と、前記両側板部の受部同士及び貫通穴同士がそれぞれ対峙するように向き合わされた両側板部の他端部側に架け渡され、該他端部側の間隔を一定に維持する架橋部と、前記両側板部の貫通穴間に架け渡され、軸部の先端部がいずれか一方の側板部から突出するボルトと、該ボルトの軸部の先端部側に締結され、締め付けられ、又は緩められることによって、両側板部の一端部側の間隔を狭め、又は拡げるナットとが備えられていることを特徴としている。
【００２４】
この間接活線作業用工具によれば、向き合わされた２枚の側板部の一端部側の間に連結具の他端部がセットされる。すなわち、連結具は、ボルトの頭部が一方の側板部の受部又は他方の側板部の受部に嵌め込まれ、座金部材が他方の側板部の受部又は一方の側板部の受部に嵌め込まれる状態とされる。この連結具は、分岐線を予め一方のコネクタ部とボルトとによって接続し、また、両コネクタ部の一端部側が幹線を把持できるように拡げた状態とされている。したがって、間接活線作業用工具の２枚の側板部の間隔は、拡げられた両コネクタ部の間隔よりも拡げられている。
【００２５】
そして、間隔が拡げられている状態の両コネクタ部の一端部側の間に幹線が位置するようにした後、間接活線作業用工具のナットを締め付ける。すると、２枚の側板部の一端部は、間隔が狭められ、連結具の両コネクタ部の一端部側を押圧する状態となる。
【００２６】
そして、連結具のナットを締め付ける。間接活線作業用工具の他方又は一方の側板部の受部には、座金部材が嵌められ、連結具のナットが側板部の外側面よりも外側で締結されているため、連結具のナットを締め付けることができる。そして、連結具のナットが締め付けられることによって、連結具の両コネクタ部の一端部側の間隔が狭められ、両コネクタ部の一端部が幹線を強固に挟む。このようにして、幹線と分岐線とが確実に接続される。
【００２７】
そして、間接活線作業用工具のナットを緩め、２枚の側板部の一端部側の間隔を拡げ、２枚の側板部を連結具の各コネクタ部から引き離すことによって、間接活線作業用工具を連結具から外す。
【００２８】
また、接続されている幹線と分岐線とを分離するには、間接活線作業用工具の２枚の側板部の一端部側の間隔が拡げられた状態（平行を含む。）として、一方又は他方の側板部の受部内に連結具のボルトの頭部を嵌め込み、他方又は一方の側板部の受部内に連結具のナットを嵌め込み、連結具の他端部を２枚の側板部の一端部側にセットした状態とする。
【００２９】
そして、間接活線作業用工具のナットを締め付け、２枚の側板部の一端部側が連結具のコネクタ部を密着するように挟む状態とする。そして、連結具のナットを緩め、間接活線作業用工具のナットを緩めて２枚の側板部の一端部側の間隔を拡げる。すると、連結具のコネクタ部の一端部側の間隔が幹線の直径よりも大きく拡がる。
【００３０】
そして、間接活線作業用工具を下降すると、連結具が２枚の側板部の間から抜け出るとともに、連結具のコネクタ部の一端部が幹線から外れ、幹線と分岐線とが分離される。
【００３１】
このように、連結具によって幹線と分岐線とを接続するときも、分離するときも、連結具が間接活線作業用工具にセットされて、連結具のボルトに締結されたナットが締め付けられたり、緩められたりするため、連結具のバネ部材には大きな負荷が加えられず、したがって、バネ部材がコネクタ部から外れることがないようにされている。
【００３２】
また、前記本発明に係る間接活線作業用工具において、前記いずれか一方の側板部の両側部から他方の側板部に向けて突出部が突設されていることが好ましい。
【００３３】
この間接活線作業用工具によれば、いずれか一方の側板部に突設された突出部上に連結具が支承されることにより、連結具からの荷重が受部でなく、突出部に加えられ、また、連結具の座金部材が他方の側板部の受部内に嵌められない位置にずれていても、連結具を安定してセットすることができる。さらに、連結具のバネ部材が２枚の側板部だけでなく、突出部によってもカバーされ、外力がバネ部材に加えられないようにすることができる。
【００３４】
また、前記本発明に係る間接活線作業用工具において、前記両側板部の他端部側に貫通穴が形成され、前記架橋部は、該両側板部の他端部側に形成された貫通穴に架け渡されるボルト及び該ボルトに締結される複数のナットによって構成され、ボルトの頭部と一つのナットがいずれか一方の側板部を挟み、二つのナットが他方の側板部を挟むことによって両側板部を他端部側で固定するものであることが好ましい。
【００３５】
この間接活線作業用工具によれば、架橋部がボルトと複数のナットによって構成されることにより、２枚の側板部の他端部が一定の間隔を維持するように保持され、さらに、絶縁ヤットコの先端部がボルトの軸部やナットを挟むように掴むことができる。
【００３６】
また、前記本発明に係る間接活線作業用工具において、前記両側板部の中間部に形成された貫通穴に架け渡されているボルトは、頭部がいずれか一方の側板部に溶接されていることが好ましい。
【００３７】
この間接活線作業用工具によれば、ボルトの頭部がいずれか一方の側板部に溶接されていることにより、ナットを締め付けたり緩めたりするときに、ボルトが共回りせず、作業性を向上させることができる。
【００３８】
また、前記本発明に係る間接活線作業用工具において、前記各側板部に形成された受部は、各側板部の一端部側が開口したＵ字形に形成されていることが好ましい。
【００３９】
この間接活線作業用工具によれば、受部が一端部側に開口したＵ字形に形成されることにより、上方に架設された幹線を接続する作業性を良好にすることができる。すなわち、幹線に沿っている分岐線を接続している連結具は、下方から持ち上げられる間接活線作業用工具にセットされるため、持ち上げられた間接活線作業用工具の受部内に、連結具のボルトと座金部材を嵌めやすく、さらに、間接活線作業用工具を上昇させて幹線が連結具のコネクタ部の間に入って連結具を押し止める力が作用しても、連結具のボルトとナットが間接活線作業用工具の受部内から外れないようにすることができる。
【発明の効果】
【００４０】
本発明によれば、一般的に普及している連結具に備えられている一対のコネクタ部の一端部側の間隔を狭めたり拡げたりするときに、連結具に備えられたバネ部材に力が作用しない間接活線作業用工具が提供されるため、幹線と分岐線とを接続し又は分離するときにバネ部材がコネクタ部から外れるといった支障が生じないようにすることができる。
【図面の簡単な説明】
【００４１】
【図１】本発明に係る間接活線作業用工具の一実施形態を示す斜視図である。
【図２】本発明に係る間接活線作業用工具の一実施形態を示す側面図である。
【図３】本発明に係る間接活線作業用工具の一実施形態であって、幹線と分岐線とを接続する途中の状態を示す正面図である。
【図４】本発明に係る間接活線作業用工具の一実施形態であって、幹線と分岐線とを接続する最終の状態を示す正面図である。
【図５】一般的に普及している連結具をを示し、（ａ）は正面図、（ｂ）は側面図である。
【図６】従来の間接活線作業用工具（連結具支持具）に連結具を取り付けた状態を示す側面図である。
【図７】連結具によって分岐線を幹線に接続する状態を示す概略図である。
【発明を実施するための形態】
【００４２】
本発明に係る間接活線作業用工具の一実施形態について図１ないし図４を参照しながら説明する。この間接活線作業用工具（以下、「連結具支持具」という。）は、図５に示した一般的に普及している連結具１００によって幹線１と分岐線２とを接続し、また連結具１００によって接続された幹線１と分岐線２とを分離するためのものとして使用する。
【００４３】
この連結具支持具は、図１に示すように、初期状態において平行ないしほぼ平行に対峙する第１の側板部１０と第２の側板部２０と備え、第１の側板部１０の一端部（図示した使用状態において上端部）１０ａ側と第２の側板部２０の一端部２０ａ（図示した使用状態において上端部）側との間に連結具１００を挟む状態にセットする。
【００４４】
第１の側板部１０は、一端部１０ａに連結具１００のボルト１４１の頭部１４１ａ又は座金部材１５０を嵌める受部１１を形成し、他端部（図示した使用状態において下端部）１０ｂ及び中間部１０ｃにそれぞれボルト３１，４１の軸部３１ｂ，４１ｂが貫通する貫通穴１２，１３を形成したものとされている。
【００４５】
また、第２の側板部２０は、一端部２０ａに連結具１００の座金部材１５０又はボルト１４１の頭部１４１ａを嵌める受部２１を形成し、他端部（図示した使用状態において下端部）２０ｂ及び中間部２０ｃにそれぞれボルト３１，４１の軸部３１ｂ，４１ｂが貫通する貫通穴２２，２３を形成したものとされている。
【００４６】
第１及び第２の側板部１０，２０に形成された受部１１，２１は、一端部１０ａ，２０ａ側に開口したＵ字形に形成され、２本の歯１１ａ，１１ｂ；２１ａ，２１ｂの間に溝１１ｃ，２１ｃが形成されている。一方の歯１１ａ，２１ａは他方の歯１１ｂ，２１ｂよりも長く形成され、ボルト１４１の頭部１４１ａ及び座金部材１５０が一方の歯１１ａ，２１ａに案内されて受部１１，２１内に嵌められやすくされている。
【００４７】
そして、第１及び第２の側板部１０，２０の他端部１０ｂ，２０ｂ側に形成された貫通穴１２，２２にボルト（以下、「固定用ボルト」という。）３１の軸部３１ｂが貫通し、この固定用ボルト３１に締結される複数（図面では３個）のナット（以下、「固定用ナット」という。）３２，３２，３２によって、第１及び第２の側板部１０，２０の他端部１０ｂ，２０ｂ側の幅が一定に維持される。
【００４８】
ただし、第１の側板部１０の外側面側に位置している固定用ボルト３１の頭部３１ａと第１の側板部１０との間には、平座金３３が介在している。また、第１の側板部１０の内側面側には、平座金３３を介して固定用ナット３２が締結されている。また、第２の側板部２０の外側面側と内側面側には、平座金３３，３３を介して固定用ナット３２，３２が締結されている。
【００４９】
このように、平座金３３を介して固定用ボルト３１が固定用ナット３２締結されることにより、固定用ナット３２が緩みにくいようにされている。また、平座金３３は、固定用ボルト３１の頭部及び固定用ナット３２の外径よりも大きくされており、固定用ボルト３１及び固定用ナット３２から第１及び第２の側板部１０，２０に集中荷重でなく、分布荷重が加えられるようにされている。
【００５０】
このような固定用ボルト３１、固定用ナット３２及び平座金３３によって架橋部３０が設けられている。ただし、架橋部３０は、平座金を備えないものとしてもよい。いずれにしても、架橋部３０は、第１の側板部１０と第２の側板部２０との間に連結具１００を挟むことができる長さに設けられている。
【００５１】
そして、第１及び第２の側板部１０，２０の中間部１０ｃ，２０ｃに形成された貫通穴１３，２３にボルト（以下、「操作用ボルト」という。）４１の軸部４１ｂが貫通し、この操作用ボルト４１に締結されるナット（以下、「操作用ナット」という。）４２を締めたり緩めたりすることにより、第１の側板部１０の一端部１０ａと第２の側板部２０の一端部２０ａとの間隔を狭めたり拡げたりすることができるようにされている。
【００５２】
第１の側板部１０の一端部１０ａと第２の側板部２０の一端部２０ａの間隔が狭められると、第１の側板部１０と第２の側板部２０の両方又は一方が傾斜姿勢となる。したがって、第１及び第２の側板部１０，２０の中間部１０ｃ，２０ｃに形成される貫通穴１３，２３は、操作用ボルト４１の軸部４１ｂが相対的に移動することができるように、わずかに長穴に形成されている。
【００５３】
また、操作用ボルト４１の頭部４１ａと第１の側板部１０の外側面との間には座金４３が介在している。さらに、操作用ボルト４１は、第１の側板部１０の内側面側においてナット４４によって固定されている。この操作用ボルト４１の頭部４１ａ、座金４３及びナット４４の全て又はいずれかが第１の側板部１０に溶接などによって固定されている。
【００５４】
そして、操作用ボルト４１の軸部４１ｂの先端部は、第２の側板部２０の外側面から突出し、操作用ナット４２が締結される。ただし、操作用ナット４２と第２の側板部２０の外側面との間には、操作用ボルト４１の軸部４１ｂを外嵌するバネ座金４５が介在している。また、操作用ナット４２が緩められすぎても、操作用ボルト４１の軸部４１ｂから外れないように、操作用ボルト４１の軸部４１ｂの先端縁のネジ山は潰されている。
【００５５】
また、第１の側板部１０の中間部１０ｃには、両側部から第２の側板部２０の方に向けて突出する突出部５０，５０が突設されている。第１の側板部１０及び／又は第２の側板部２０が傾斜姿勢となっても、突出部５０，５０の先端部が第２の側板部２０に衝突しないように突出部５０，５０の長さが設定されている。
【００５６】
なお、図示しないが、第２の側板部２０から第１の側板部１０の方に突出する突出部５０，５０を設けてもよい。いずれにしても、突出部５０，５０上に連結具１００の段差部１１０ｄ，１２０ｄが支承される。
【００５７】
この連結具支持具は、以上のように構成され、次に使用方法について図２ないし図４を参照しながら説明する。
【００５８】
まず、分岐線２を幹線１に接続する方法について説明する。分岐線２の先端部分は、図５に示すように連結具１００に取り付けられ、そしてストレーリンクトング（図示せず）によって、図７に示すように接続する幹線１に沿わされ、幹線１の皮が剥がされて芯線１ａが露出している部位付近に連結具１００を位置させる。
【００５９】
分岐線２の先端部分を取り付けている連結具１００は、図３に示すように、第１，第２のコネクタ部１１０，１２０の一端部１１０ａ，１２０ａ側が上向きで幹線１の外径よりも大きく拡がり、他端部１１０ｂ，１２０ｂ側が下向きの姿勢とされている。
【００６０】
一方、連結具支持具は、図３に示すように第１の側板部１０と第２の側板部２０が平行ないし一端部１０ａ，２０ａ側がわずかに拡がって対峙している状態とされている。そして、絶縁操作棒４の先端部に装着された絶縁ヤットコ５が連結具支持具の架橋部３０である固定用ボルト３１の軸部３１ｂと固定用ボルト３１に締結された固定用ナット３２とを掴む状態とする。
【００６１】
そして、絶縁操作棒４が持ち上げることにより、連結具支持具を連結具１００に近づけ、さらに上昇させる。すると、連結具１００が連結具支持具の第１及び第２の側板部１０，２０の一端部１０ａ，２０ａ側にセットされる。
【００６２】
すなわち、連結具１００の第１，第２のコネクタ部１１０，１２０の段差部１１０ｄ，１２０ｄが連結具支持具の突出部５０，５０上に支承され、ボルト１４１の頭部１４１ａが第１の側板部１０の受部１１内に嵌められ、連結具１００の座金部材１５０が第２の側板部２０の受部２１内に嵌められる。
【００６３】
受部１１，２１が一端部１０ａ，２０ａ側に開口し、一方の歯１１ａ，２１ａが他方の歯１１ｂ，２１ｂよりも長くされているため、連結具１００のボルト１４１及び座金部材１５０が受部１１，２１内に入りやすくされている。
【００６４】
また、連結具１００のボルト１４１の軸部４１ｂの先端部が第２の側板部２０の外側面から突出し、ナット１４２が第２の側板部２０の外側面からわずかに離間した位置でボルト１４１に締結されている。このようにセットされた連結具１００のバネ部材１３０は、２枚の突出部５０，５０の内側にカバーされる。
【００６５】
そして、絶縁操作棒４を上昇させることにより、連結具１００の第１，第２のコネクタ部１１０，１２０の一端部１１０ａ，１２０ａ側に間隔をもって幹線１の芯線１ａを挟む。幹線１の芯線１ａが連結具１００の第１，第２のコネクタ部１１０，１２０の内面で当接している部分に当たることにより、上昇する連結具１００を押し止める。
【００６６】
また、連結具支持具の第１及び第２の側板部１０，２０に形成された受部１１，２１が一端部側、すなわち、幹線１側に開口しているため、受部１１，２１内から連結具１００のボルト１４１や座金部材１５０が外れることはない。
【００６７】
そして、連結具支持具の操作用ボルト４１に締結されている操作用ナット４２を例えばラチェットによって締めることにより、第１の側板部１０の中間部１０ｃと第２の側板部２０の中間部２０ｃとの間隔を狭める。操作用ボルト４１の頭部４１ａが第１の側板部１０に溶接などによって固定されていることから、操作用ボルト４１が共回りすることなく操作用ナット４２を締め付けることができる。
【００６８】
なお、ラチェットなどの操作を誤って、ラチェットなどが位置ずれしても、ラチェットなどは突出部５０，５０に当たることより、連結具１００のバネ部材１３０には衝撃力が加えられない。
【００６９】
そして、第１の側板部１０と第２の側板部２０は、中間部１０ｃ，２０ｃの間隔が狭められることにより、両方又は一方が傾斜姿勢となって一端部１０ａ，２０ａ側の間隔が狭められる。すると、連結具１００の第１のコネクタ部１１０と第２のコネクタ部１２０の一端部１１０ａ，１２０ａ側の間隔も狭められ、把持部１１０ｅ，１２０ｅが幹線１を軽く挟む状態となる。
【００７０】
そして、連結具１００のボルト１４１に締結されているナット１４２を例えばラチェットによって締め付ける。第１の側板部１０と第２の側板部２０の一端部１０ａ，２０ａ側の間隔が狭められ、第２の側板部２０と連結具１００のナット１４２との間隔が拡げられていることにより、このナット１４２を締め付けることができる。
【００７１】
このナット１４２が締められることにより、図４に示すように、連結具１００の第１のコネクタ部１１０と第２のコネクタ部１２０の一端部１１０ａ，１２０ａ側の間隔がさらに狭くされ、把持部１１０ｅ，１２０ｅが幹線１を強固に保持する。
【００７２】
なお、連結具支持具の操作用ボルト４１に締結されている操作用ナット４２を締め付ける作業と連結具１００のボルト１４１に締結されているナット１４２を締め付ける作業とは、交互に行ってもよいし、第１及び第２の側板部１０，２０とを最終の傾斜姿勢となるまで操作用ナット４２を締め付けた後に、連結具１００のボルト１４１に締結されているナット１４２を締め付けてもよい。
【００７３】
このようにして、幹線１と分岐線２とが連結具１００によって接続される。この幹線１と分岐線２とを接続する作業において、連結具１００の第１のコネクタ部１１０と第２のコネクタ部１２０が連結具支持具の第１の側板部１０と第２の側板部２０に挟まれた状態とされ続けることにより、バネ部材１３０には負荷が加えられず、したがって、バネ部材１３０がコネクタ部１１０，１２０から外れることはない。
【００７４】
そして、連結具支持具は、第１の側板部１０と第２の側板部２０が連結具１００を挟んでいるため、操作用ナット４２を緩め、傾斜姿勢の第１の側板部１０及び／又は第２の側板部２０の一端部側の間隔を拡げた後、架橋部３０を掴んでいる絶縁ヤットコ５を取り付けた絶縁操作棒４を引き下げる。すると、連結具支持具が幹線１と分岐線２とを接続した連結具１００から外される。
【００７５】
なお、連結具支持具が連結具１００から外れにくいときは、操作用ナット４２をさらに緩め、第１の側板部１０と第２の側板部２０の一端部１０ａ，２０ａ側の間隔をさらに拡げた状態として、絶縁操作棒４を引き下げる。また、分岐線２を幹線１に沿わせているストレーリンクトングも外すことによって、一連の作業が終了する。
【００７６】
次に、連結具１００によって接続されている幹線１と分岐線２とを分離する方法について説明する。予め、ストレーリンクトングによって分岐線２の先端部付近と幹線１とを保持した状態としておく。そして、連結具支持具は、第１の側板部１０と第２の側板部２０の一端部１０ａ，２０ａ側が拡げられた状態（平行を含む。）として、絶縁ヤットコ５が架橋部３０を掴み、絶縁ヤットコ５を先端部に取り付けた絶縁操作棒４を持ち上げる。
【００７７】
そして、連結具支持具の第１の側板部１０と第２の側板部２０の一端部１０ａ，２０ａ側に連結具１００をセットした状態とする。すなわち、連結具１００の段差部１１０ｄ，１２０ｄが第１の側板部１０に突設された突出部５０，５０に支承され、連結具１００のボルト１４１の頭部１４１と、このボルト１４１に締結されたナット１４２が第１の側板部１０と第２の側板部２０の各受部１１，２１に嵌められる状態とする。
【００７８】
そして、連結具支持具の操作用ボルト４１に締結されている操作用ナット４２をラチェットによって締め付け、第１の側板部１０及び／又は第２の側板部２０を傾斜姿勢とし、一端部１０ａ，２０ａ側の間隔を狭める。すると、連結具１００の第１のコネクタ部１１０と第２のコネクタ部１２０が第１の側板部１０と第２の側板部２０とに密着するように挟まれ、第２の側板部２０の受部内に連結具１００の座金部材１５０が嵌められた状態になる。
【００７９】
そして、ラチェットによって連結具１００のナット１４２を緩め、連結具１００の第１のコネクタ部１１０と第２のコネクタ部１２０の一端部１１０ａ，１２０ａ側が離間可能とする。ただし、連結具支持具の第１の側板部１０と第２の側板部２０の両一端部１０ａ，２０ａが連結具１００の第１のコネクタ部１１０と第２のコネクタ部１２０を挟んでいるため、この一端部１１０ａ，１２０ａ側は離間しない。
【００８０】
そして、連結具支持具の操作用ナット４２をラチェットによって緩め、第１の側板部１０と第２の側板部２０の各一端部１０ａ，２０ａ側の間隔を拡げる。すると、連結具１００は、ナット１４２が緩められていることから、バネ部材１３０によって第１のコネクタ部１１０と第２のコネクタ部１２０の一端部１１０ａ，１２０ａ側が第１の側板部１０と第２の側板部２０の内面に沿って拡がる。
【００８１】
第１のコネクタ部１１０と第２のコネクタ部１２０の一端部１１０ａ，１２０ａ側の間隔が幹線１の芯線１ａよりも狭いときは、連結具支持具の操作用ナット４２をさらに緩め、第１の側板部１０と第２の側板部２０の各一端部１０ａ，２０ａ側の間隔をさらに拡げる。そして、第１のコネクタ部１１０と第２のコネクタ部１２０の一端部１０ａ，２０ａ側の間隔が幹線１の芯線１ａの外径よりも大きく拡がると、連結具支持具の架橋部３０を掴んでいる絶縁ヤットコ５を先端部に装着した絶縁操作棒４を引き下げる。
【００８２】
すると、連結具１００の第１のコネクタ部１１０と第２のコネクタ部１２０との間から幹線１が外れる。また、分岐線２の先端部付近がストレーリンクトングによって幹線１に保持された状態とされていることから、連結具支持具が連結具１００から外れ、そして、連結具１００は、自重によって垂れ下がった状態となる。
【００８３】
このようにして、連結具１００によって接続されていた幹線１と分岐線２とを分離することができる。この作業において、作業用具の第１の側板部１０と第２の側板部２０が連結具１００の第１，第２のコネクタ部１１０，１２０を挟み続けるため、バネ部材１３０に負荷が加えられず、バネ部材１３０が第１，第２のコネクタ部１１０，１２０から外れることがない。
【００８４】
なお、本発明は、前記実施の形態に限定することなく、種々変更することができる。例えば、連結具１００を連結具支持具にセットする方法において、第１の側板部１０の受部１１に連結具１００の座金部材１５０を嵌め、第２の側板部２０の受部２１に連結具１００のボルト１４１の頭部１４１を嵌めてもよい。
【００８５】
また、連結具支持具は、第１の側板部１０の一方の側部から第２の側板部２０に向けて突出部５０を突設し、第２の側板部２０の他方の側部から第１の側板部１０に向けて突出部５０を設けたものとしてもよいし、あるいは突出部５０，５０を全く設けないものとしてもよい。
【００８６】
また、第１の側板部１０と第２の側板部２０との各他端部１０ｂ，２０ｂ間に架け渡される架橋部３０は、固定用ボルト３１や固定用ナット３２でなく、板状部としてもよい。すなわち、細長い板状体をコ字形に折曲し、第１の側板部１０、架橋部３０そして第２の側板部２０を連続して一体成形してもよい。この場合は当然、第１の側板部１０と第２の側板部２０の他端部１０ｂ，２０ｂ側に貫通穴１２，２２は形成されない。
【００８７】
また、操作用ボルト４１の頭部４１ａは、溶接することなく、楔などによって共回りしないように固定してもよいし、固定されていなくても、操作用ボルト４１の頭部４１ａを保持する道具を使用することにより、共回りしないようにしてもよい。また、操作用ボルト４１は、両ナットボルトの一方にナットを締結したものであってもよい。
【００８８】
また、受部１１，２１は、第１の側板部１０及び第２の側板部２０の一端部側に開口したＵ字形に形成されることが作業性の面から好ましいが、第１の側板部１０及び第２の側板部２０の同じ側面部側に開口し、途中で他端部側に折曲した横向きＬじ形に形成してもよい。
【符号の説明】
【００８９】
１…………幹線
２…………分岐線
１０………（第１の）側板部
１０ａ……一端部
１０ｃ……中間部
１１………受部
１２………貫通穴
１３………貫通穴
２０………（第２の）側板部
２０ａ……一端部
２０ｃ……中間部
２１………受部
２２………貫通穴
２３………貫通穴
３０………架橋部
３１………（固定用）ボルト
３２………（固定用）ナット
４１………（操作用）ボルト
４２………（操作用）ナット
５０………突出部
１００……連結具
１１０……（第１の）コネクタ部
１１０ａ…一端部
１２０……（第２の）コネクタ部
１２０ａ…他端部
１３０……バネ部材
１４１……ボルト
１４２……ナット
１５０……座金部材
【図１】
0005474418.tif 000002
【図２】
0005474418.tif 000003
【図３】
0005474418.tif 000004
【図４】
0005474418.tif 000005
【図５】
0005474418.tif 000006
【図６】
0005474418.tif 000007
【図７】
0005474418.tif 000008